(57)【要約】【課題】レジ装置からのアクションにより、精算作業の流れに従って随時に、かつ、購入客の受信時の端末操作なしで領収書データを送受信可能とすることにより、より迅速で、使用しやすい電子領収書システムを提供する。【解決手段】レジ精算時に、購入者の携帯電話機２に精算内容を領収書データとして無線送信する。この無線送信時には、レジ装置１側から購入者の携帯電話機２において領収書データを受信するプログラムを起動するための起動指令を送信する。これにより、精算作業の流れに従って随時に、かつ、購入者の領収書データ受信時の端末操作無しで、領収書データを迅速に受信することができるようになる。また、受信プログラムは、各店舗における購入者の会員番号をレジ装置１に送信して、購入者に応じた領収書データの受信を可能にするとともに、受信した領収書データを家計簿サーバ３へ登録する処理等も行なう。【選択図】　　　　図１
2004021607.tif 000002
【特許請求の範囲】
【請求項１】
店舗における購入金額の精算時に、該精算内容を領収書データとして生成したレジ装置から携帯通信端末に送信する送受信ステップを含む領収書データ送受信方法であって、
前記携帯通信端末が前記送受信ステップにおいて前記領収書データを受信するためのアプリケーションプログラムを起動する起動指令を、前記レジ装置から送信する起動指令ステップを含み、
前記送受信ステップにおいては、前記起動指令に応答して、前記携帯通信端末において起動されたアプリケーションプログラムにより領収書データを受信することを特徴とする領収書データ送受信方法。
【請求項２】
前記レジ装置において、該レジ装置から所定距離範囲内に位置している携帯通信端末より該端末の識別情報を受信することによって、前記領収書データを送信すべき前記携帯通信端末を識別する識別ステップを、更に、含み、
前記起動指令ステップにおいては、前記識別された携帯通信端末に起動指令を送信することを特徴とする請求項１に記載の領収書データ送受信方法。
【請求項３】
前記送受信ステップにおいては、前記店舗側によって付与され、かつ、前記携帯通信端末利用者を識別するための会員番号を前記携帯通信端末から送信し、該会員番号に対応する領収書データを受信することを特徴とする請求項１又は２に記載の領収書データ送受信方法。
【請求項４】
前記領収書データは、前記精算内容に基づいて、購入金額に応じて前記携帯通信端末利用者に与えられる特典を受けるためのポイント情報を含むことを特徴とする請求項３に記載の領収書データ送受信方法。
【請求項５】
前記受信した領収書データに含まれる、店舗における購入に関するウェブサイトにアクセスするためのアクセス情報に基づいて、前記携帯通信端末においてアクセスしたウェブサイトを、該端末の表示画面に表示する表示ステップを、更に、含むことを特徴とする請求項１〜４のいずれか１項に記載の領収書データ送受信方法。
【請求項６】
前記携帯通信端末が、領収書データについて処理を行なう外部装置に、該端末において受信した領収書データを送信し、家計簿データとして登録する家計簿登録ステップを、更に、含むことを特徴とする請求項１〜５のいずれか１項に記載の領収書データ送受信方法。
【請求項７】
前記家計簿登録ステップにおいて登録された家計簿データに基づいて、前記外部装置によって作成された家計情報を、前記携帯通信端末の表示画面に表示する家計情報表示ステップを、更に含み、前記家計情報を告知するようにしたことを特徴とする請求項６に記載の領収書データ送受信方法。
【請求項８】
請求項１〜７のいずれか１項に記載の領収書データ送受信方法において使用される携帯通信端末において起動されるアプリケーションプログラムであって、
前記レジ装置から送信される領収書データを受信する受信ステップを含むことを特徴とする携帯通信端末プログラム。
【請求項９】
前記店舗側によって付与され、かつ、前記携帯通信端末利用者を識別するための会員番号を前記レジ装置へ送信する会員番号送信ステップを、更に含み、
前記受信ステップにおいては、該会員番号に対応する領収書データを受信することを特徴とする請求項８に記載の携帯通信端末プログラム。
【請求項１０】
前記受信ステップにおいて受信した領収書データに含まれる、店舗における購入に関するウェブサイトにアクセスするためのアクセス情報に基づいて、アクセスしたウェブサイトを、自端末の表示画面に表示する表示ステップを、更に、含むことを特徴とする請求項８又は９に記載の携帯通信端末プログラム。
【請求項１１】
領収書データについて処理を行なう外部装置に、前記受信ステップにおいて受信した領収書データを送信し、家計簿データとして登録する家計簿登録ステップを、更に、含むことを特徴とする請求項８〜１０のいずれか１項に記載の携帯通信端末プログラム。
【請求項１２】
前記家計簿登録ステップにおいて登録された家計簿データに基づいて、前記外部装置によって作成された家計情報を受信し、自端末の表示画面に表示する家計情報表示ステップを、更に含み、前記家計情報を告知するようにしたことを特徴とする請求項８〜１１のいずれか１項に記載の携帯通信端末プログラム。
【請求項１３】
請求項１〜７のいずれか１項に記載の領収書データ送受信方法において使用される携帯通信端末であって、
前記起動指令に応答して、前記領収書データを受信するためのアプリケーションプログラムを起動する起動手段を有することを特徴とする携帯通信端末。
【請求項１４】
所定距離範囲内に位置しているレジ装置へ、自端末の識別情報を送信するための識別情報送信手段を、更に、含むことを特徴とする請求項１３に記載の携帯通信端末。
【請求項１５】
請求項１〜７のいずれか１項に記載の領収書データ送受信方法において使用されるレジ装置であって、
前記携帯通信端末に領収書データを受信させるためのアプリケーションプログラムを起動する起動指令を前記レジ装置から送信する起動指令送出手段と、
生成した領収書データを携帯通信端末に送信する送信手段と、を有することを特徴とするレジ装置。
【請求項１６】
自装置から所定距離範囲内に位置している前記携帯通信端末より該端末の識別情報を受信することによって、前記領収書データを送信すべき前記携帯通信端末を識別する識別手段を、更に、含むことを特徴とする請求項１５に記載のレジ装置。
【請求項１７】
前記送信手段は、前記店舗側によって付与され、かつ、前記携帯通信端末利用者を識別するための会員番号を前記携帯通信端末から受信し、該会員番号に対応するように生成した領収書データを該携帯通信端末へ送信することを特徴とする請求項１５又は１６に記載のレジ装置。
【請求項１８】
前記送信手段は、店舗における購入に関するウェブサイトにアクセスするためのアクセス情報を含む領収書データを生成し、前記携帯通信端末に送信すること特徴とする請求項１５〜１７のいずれか１項に記載のレジ装置。
【請求項１９】
店舗における購入金額の精算時に、該精算内容を領収書データとして受信するサーバであって、
前記領収書データの受信時に、前記購入を行った者の携帯通信端末から送信された領収書データに基づいて、家計情報を作成する作成手段と、前記携帯通信端末に該家計情報を送信する家計情報送信手段と、を含むことを特徴とする家計簿サーバ。
【発明の詳細な説明】
【０００１】
【発明の属する技術分野】
本発明は領収書データ送受信方法、携帯通信端末プログラム、携帯通信端末、レジ装置、及び、家計簿サーバに関し、特に精算内容を電子データとして発行する領収書データ送受信方法、携帯通信端末プログラム、携帯通信端末、レジ装置、及び、家計簿サーバに関する。
【０００２】
【従来の技術】
従来、店舗で買い物をした客は、そのレジ精算時に、購入年月日、購入品目、購入数、購入金額等の精算内容を証明する紙のレシートを受け取っている。これにより、精算内容が適切であるか確認することができるとともに、レシートに記入された購入金額を集計して家計簿に記入する等家計管理のための情報としても使用することができる。
【０００３】
しかし、紙のレシートは、精算内容を確認した後は不要になって、ごみとして捨てられている。また、購入店舗毎に発行されたレシートから、大量の購入品目を家計簿に転記したり、金額を電卓に打ち込み集計する作業は煩雑であった。このような課題を解決するために、レジ精算時にＰＯＳ（ｐｏｉｎｔ−ｏｆ−ｓａｌｅ）端末において生成される領収書データを買物客の携帯電話機に無線送信する方法が、特開２００１−２８３３３３号公報に示されている。
【０００４】
【発明が解決しようとする課題】
以上のように、精算情報の有効利用が困難な紙のレシートに代わって、精算情報を電子データとして携帯電話機に送信することにより、携帯電話機のディスプレイに表示させて精算内容を確認したり、携帯電話機から更に別の情報処理装置に送信して毎月の家計の計算処理を行なわせたりすることができる。
【０００５】
ところで、一般的な店舗におけるレジ精算は、複数のレジ装置が設置された場所のそれぞれに、精算を行なおうとする購入客が訪れることによって行なわれている。また、混雑時には、購入客が各設置場所に列になって順番待ちする。このため、混雑時に順番待ちの時間が長くなるようなことがないように、レジ装置から携帯通信端末へのレシートデータの送信作業は、より迅速に行なう必要がある。更に、同じレジ装置、又は、隣接するレジ装置に多数の購入客が並ぶ場合に、精算を行なった購入客に正しく領収書データが送信されるように、無線通信の精度を向上する必要がある。
【０００６】
本発明の目的は、レジ装置からのアクションにより、精算作業の流れに従って随時に、かつ、購入客の受信時の端末操作なしで領収書データを送受信可能とすることにより、より迅速で、使い勝手のよい領収書データ送受信方法、携帯通信端末プログラム、携帯通信端末、レジ装置、及び、家計簿サーバを提供することにある。
【０００７】
【課題を解決するための手段】
本発明の請求項１による領収書データ送受信方法は、店舗における購入金額の精算時に、該精算内容を領収書データとして生成したレジ装置から携帯通信端末に送信する送受信ステップを含む領収書データ送受信方法であって、
前記携帯通信端末が前記送受信ステップにおいて前記領収書データを受信するためのアプリケーションプログラムを起動する起動指令を、前記レジ装置から送信する起動指令ステップを含み、
前記送受信ステップにおいては、前記起動指令に応答して、前記携帯通信端末において起動されたアプリケーションプログラムにより領収書データを受信することを特徴とする。
【０００８】
本発明の請求項２による領収書データ送受信方法は、請求項１において、前記レジ装置において、該レジ装置から所定距離範囲内に位置している携帯通信端末より該端末の識別情報を受信することによって、前記領収書データを送信すべき前記携帯通信端末を識別する識別ステップを、更に、含み、
前記起動指令ステップにおいては、前記識別された携帯通信端末に起動指令を送信することを特徴とする。
【０００９】
本発明の請求項３による領収書データ送受信方法は、請求項１又は２において、前記送受信ステップにおいては、前記店舗側によって付与され、かつ、前記携帯通信端末利用者を識別するための会員番号を前記携帯通信端末から送信し、該会員番号に対応する領収書データを受信することを特徴とする。
本発明の請求項４による領収書データ送受信方法は、請求項３において、前記領収書データは、前記精算内容に基づいて、購入金額に応じて前記携帯通信端末利用者に与えられる特典を受けるためのポイント情報を含むことを特徴とする。
【００１０】
本発明の請求項５による領収書データ送受信方法は、請求項１〜４のいずれか１項において、前記受信した領収書データに含まれる、店舗における購入に関するウェブサイトにアクセスするためのアクセス情報に基づいて、前記携帯通信端末においてアクセスしたウェブサイトを、該端末の表示画面に表示する表示ステップを、更に、含むことを特徴とする。
【００１１】
本発明の請求項６による領収書データ送受信方法は、請求項１〜５のいずれか１項において、前記携帯通信端末が、領収書データについて処理を行なう外部装置に、該端末において受信した領収書データを送信し、家計簿データとして登録する家計簿登録ステップを、更に、含むことを特徴とする。
ここで、家計簿データとは、家計を管理するための情報として用いるデータである。
【００１２】
本発明の請求項７による領収書データ送受信方法は、請求項６において、前記家計簿登録ステップにおいて登録された家計簿データに基づいて、前記外部装置によって作成された家計情報を、前記携帯通信端末の表示画面に表示する家計情報表示ステップを、更に含み、前記家計情報を告知するようにしたことを特徴とする。
【００１３】
本発明の請求項８による携帯通信端末プログラムは、請求項１〜７のいずれか１項に記載の領収書データ送受信方法において使用される携帯通信端末において起動されるアプリケーションプログラムであって、
前記レジ装置から送信される領収書データを受信する受信ステップを含むことを特徴とする。
【００１４】
本発明の請求項９による携帯通信端末プログラムは、請求項８において、前記店舗側によって付与され、かつ、前記携帯通信端末利用者を識別するための会員番号を前記レジ装置へ送信する会員番号送信ステップを、更に含み、
前記受信ステップにおいては、該会員番号に対応する領収書データを受信することを特徴とする。
【００１５】
本発明の請求項１０による携帯通信端末プログラムは、請求項８又は９において、
前記受信ステップにおいて受信した領収書データに含まれる、店舗における購入に関するウェブサイトにアクセスするためのアクセス情報に基づいて、アクセスしたウェブサイトを、自端末の表示画面に表示する表示ステップを、更に、含むことを特徴とする。
【００１６】
本発明の請求項１１による携帯通信端末プログラムは、請求項８〜１０のいずれか１項において、領収書データについて処理を行なう外部装置に、前記受信ステップにおいて受信した領収書データを送信し、家計簿データとして登録する家計簿登録ステップを、更に、含むことを特徴とする。
本発明の請求項１２による携帯通信端末プログラムは、請求項８〜１１のいずれか１項において、前記家計簿登録ステップにおいて登録された家計簿データに基づいて、前記外部装置によって作成された家計情報を受信し、自端末の表示画面に表示する家計情報表示ステップを、更に含み、前記家計情報を告知するようにしたことを特徴とする。
【００１７】
本発明の請求項１３による携帯通信端末は、請求項１〜７のいずれか１項に記載の領収書データ送受信方法において使用される携帯通信端末であって、
前記起動指令に応答して、前記領収書データを受信するためのアプリケーションプログラムを起動する起動手段を有することを特徴とする。
本発明の請求項１４による携帯通信端末は、請求項１３において、所定距離範囲内に位置しているレジ装置へ、自端末の識別情報を送信するための識別情報送信手段を、更に、含むことを特徴とする。
【００１８】
本発明の請求項１５によるレジ装置は、請求項１〜７のいずれか１項に記載の領収書データ送受信方法において使用されるレジ装置であって、
前記携帯通信端末に領収書データを受信させるためのアプリケーションプログラムを起動する起動指令を前記レジ装置から送信する起動指令送出手段と、
生成した領収書データを携帯通信端末に送信する送信手段と、を有することを特徴とする。
【００１９】
本発明の請求項１６によるレジ装置は、請求項１５において、自装置から所定距離範囲内に位置している前記携帯通信端末より該端末の識別情報を受信することによって、前記領収書データを送信すべき前記携帯通信端末を識別する識別手段を、更に、含むことを特徴とする。
本発明の請求項１７によるレジ装置は、請求項１５又は１６において、前記送信手段は、前記店舗側によって付与され、かつ、前記携帯通信端末利用者を識別するための会員番号を前記携帯通信端末から受信し、該会員番号に対応するように生成した領収書データを該携帯通信端末へ送信することを特徴とする。
【００２０】
本発明の請求項１８によるレジ装置は、請求項１５〜１７のいずれか１項において、前記送信手段は、店舗における購入に関するウェブサイトにアクセスするためのアクセス情報を含む領収書データを生成し、前記携帯通信端末に送信すること特徴とする。
本発明の請求項１９による家計簿サーバは、店舗における購入金額の精算時に、該精算内容を領収書データとして受信するサーバであって、
前記領収書データの受信時に、前記購入を行った者の携帯通信端末から送信された領収書データに基づいて、家計情報を作成する作成手段と、前記携帯通信端末に該家計情報を送信する家計情報送信手段と、を含むことを特徴とする。
【００２１】
【発明の実施の形態】
次に、図面を参照して本発明の実施の形態について説明する。なお、以下の説明において参照する各図においては、他の図と同等の部分が同一符号によって示されている。
図２には、本実施の形態における電子領収書システムの構成が示されている。同図に示されているように、電子領収書システムは、レジ装置１と、携帯電話機２と、家計簿サーバ３と、ポイントバンク５と、を含んで構成される。
【００２２】
レジ装置１は、図３に示されるように、ＰＯＳ端末１ｂと、携帯電話機２との間で無線通信を行なうための近距離無線通信部１ａと、ＰＯＳ端末１ｂ及び近距離無線通信部１ａ間のデータ通信を行うためのインターフェース（以下、「Ｉ／Ｆ」と略す。）１ｃと、を含んで構成されている。
ＰＯＳ端末１ｂは、購入商品の価格を取得し、その合計金額を計算し、購入者との間で金銭のやり取りを行なうほか、通信回線に接続して、店舗の商品管理やクレジット精算等の処理を行なう機能を有するものである。本実施の形態においては、従来はレシート用紙として出力されていた精算内容、例えば、購入日時、購入品目名、購入個数、単位品目あたりの価格、又は、それらの購入金額の合計等の情報を領収書データとして生成する。また、後述するように、購入者の携帯電話機２から取得する情報に基づいて、通信回線を介してポイントバンク５に接続し、一定の処理を行なう機能も有する。
【００２３】
近距離無線通信部１ａは、携帯電話機２と近距離無線通信してＰＯＳ端末１ｂにおいて生成された領収書データを携帯電話機２に送信する。本実施の形態で用いられる近距離無線通信としては、例えば、Ｂｌｕｅｔｏｏｔｈ、ＨｏｍｅＲＦや伝送媒体として赤外線を利用したＩｒＤＡ（Ｉｎｆｒａｒｅｄ　Ｄａｔａ　Ａｓｓｏｃｉａｔｉｏｎ）方式の無線通信を用いることができる。
【００２４】
図４には、携帯電話機２の構成が示されている。同図に示されているように、本実施の形態の携帯電話機２は、近距離無線通信を行うための近距離無線通信部２ａと、処理装置２ｂと、メモリ２ｃと、購入者に処理内容を表示するための表示部２ｄと、購入者による入力を受け付けるための操作部２ｇと、無線基地局との通信を行うための無線通信部２ｆと、を含んで構成されている。
【００２５】
近距離無線通信部２ａは、更に、電波等を受信して電気信号に変換するための近距離無線送受信部ａ２と、近距離無線通信のための各種処理を行なう処理装置ａ３と、近距離無線通信部２ａと携帯電話機２の処理装置２ｂとの間においてデータ通信するためのＩ／Ｆ部ａ４と、を含んで構成され、レジ装置から無線によって送信される領収書データを受信する。本実施の形態においては、近距離無線通信部２ａのメモリａ１には、携帯電話機２を識別するための識別番号ＩＤが保持され、後述のようにレジ装置１との近距離無線通信を行うために、当該レジ装置１に送信される。
【００２６】
処理装置２ｂは、メモリ２ｃ等に保持されるプログラムを実行して、各部を制御し、携帯電話機２における各種の処理を行なうためのものである。本実施の形態においては、メモリ２ｃには、監視プログラムｃ１と、受信プログラムｃ２と、会員番号テーブルｃ３と、が保持されている。
受信プログラムｃ２は、領収書データを受信するためのアプリケーションプログラムである。この受信プログラムの動作の詳細は、後述する。
【００２７】
監視プログラムｃ１は、近距離無線通信部２ａにおける起動指令の受信を監視して、当該起動指令を受信した場合に、受信プログラムｃ２を起動する。起動指令は、携帯電話機２の受信プログラムを自動的に起動するために、携帯電話機２と近距離無線通信を行うレジ装置から送信される指令である。
会員番号テーブルｃ３には、各店舗によって付与された、当該店舗における購入者を識別するための会員番号が保持されている。テーブルの詳細なデータ構成は後述するが、これを用いることにより、購入者の会員番号をレジ装置に送信し、レジ装置からは会員番号、すなわち各購入者に応じたレジデータを受信することができる。
【００２８】
尚、領収書データを受信するために用いる装置は、携帯電話機に限定されるものではなく、データ通信機能を有し、更に本実施の形態においては上述の近距離無線通信部を有する携帯端末であればよい。
家計簿サーバ３は、携帯電話機２から送信される領収書データを購入者毎に保持する。本実施の形態においては、例えば、インターネット上のデータベースサーバとして構成し、携帯電話機２からの接続して、領収書データの登録、破棄、登録内容の参照、及び、領収書データの集計処理等を行なうことができるようになっている。
【００２９】
ポイントバンク５も、同様にインターネットに接続するＷＥＢサーバとして、あるいは、レジ装置１と専用回線によって通信可能なサーバとして構成される。本実施の形態においては、ポイントバンク５には、上述の会員番号と、各会員に商品の購入金額等に応じた特典を受けるために与えられるポイントに関するポイント情報と、の対応が保持されている。後述のように、携帯電話機２に保持される会員番号等を受信して、これに基づいて当該会員番号の購入者が保有するポイント情報をレジ装置から参照可能にする等の処理を行なう。
【００３０】
図１は、本実施の形態の電子領収書システムにおける電子領収書の生成から携帯電話機での利用までを表したフローチャートである。
同図のステップＳ１００においては、店員がレジ装置１で購入者の購入商品の精算を行う。このとき、領収書データが生成される。
ステップＳ１０１においては、レジ装置１が、無線通信可能な距離まで近づいた携帯電話機２から機体種別等の識別番号を受信することにより、携帯電話機２を識別する。これにより、レジ装置１は識別された携帯電話機２に領収書データを送信することができる。
【００３１】
ステップＳ１０２においては、ステップＳ１００の精算処理において領収書データが生成されると、レジ装置１が携帯電話機２において領収書データを受信する受信プログラムを起動するための起動指令を当該携帯電話機２に送信する。
携帯電話機２がステップＳ１０２において送信されたレジ装置１からの起動指令を受信すると、上述のように、監視プログラムが受信プログラムを起動し、携帯電話機２での領収書データの受信が可能となる。（ステップＳ１０３）。
【００３２】
このように、レジ装置１からの起動指令の送信を契機として領収書データの送受信を行うこととすることにより、レジ装置１における領収書データの発生、精算の完了等の精算作業の流れに沿って随時起動指令を送信することができることから、携帯電話機２から任意のタイミングでレジ装置１にアクセスして領収書データを取得する場合と比較して、円滑、迅速な領収書データの送受信が可能になる。更に、この起動指令は、携帯電話機２に受信プログラムを自動的に起動するものであることから、購入客による端末操作無しで受信を行うことができ、端末操作の待ち時間や購入客の手間を軽減することができる。
【００３３】
又、上述のように本実施の形態において携帯電話機２とレジ装置１の間のデータの送受信に使用する無線方式は特に限定されるものではない。しかし、ＩｒＤＡ方式を用いれば、伝送距離が短く、かつ、赤外線は一直線状に放射されることから、レジ装置１と通信可能な携帯電話機２を限定して、レジ待ちの列に並ぶ他の購入者との誤った通信等を防止し、通信の安全性を向上することができる。
【００３４】
なお、携帯電話機２に非接触ＩＣメディアを設け、レジ装置１にＩＣリーダ／ライタを設置することにより領収書データの送受信を行なってもよい。この場合には、領収書データの送信時に、携帯電話機２をレジ装置１のＩＣライタ設置部分に近接させることにより携帯電話機２に保持される非接触ＩＣメディアへの領収書データの書き込みが行なわれる。非接触ＩＣメディアを用いれば、近接するまでデータの書き込み等が行われないので、通信の確実性を保証することができる。
【００３５】
また、ステップＳ１０１の識別ステップを経る場合には、識別された携帯電話機２にのみレジ装置１から領収書データが送信されるので、識別ステップにおいてのみ、非接触ＩＣメディアを用いることとしてもよい。この場合には、識別番号の読み取り時に、携帯電話機２をレジ装置１に近接させるだけでよい。その後は、携帯電話機２を購入客が鞄等にしまっても既に識別番号が読み取られているので正しく通信することができる。
【００３６】
また、ステップＳ１０２における起動指令の送信は、精算処理の完了とともに自動的にレジ装置１が行なうこととしてもよいし、レジ装置１を操作する店員が発信ボタンを押下することにより送信するものとしてもよい。発信ボタンを用いる場合には、例えば、購入者が携帯電話機２をレジ装置１に近接させた時に、発信ボタンを押下して起動指令の送信を行なうこととする。これにより、確実に領収書データを送信すべき購入者にその送信を行うことができる。また、領収書データの送信は、本実施の形態においては精算処理が完了してから行なうが、精算処理の間に逐次領収書データを送信することとしてもよい。
【００３７】
受信プログラムが起動されると、ステップＳ１０４〜Ｓ１１２に示されるような処理が行なわれる。
本実施の形態においては、まず、購入店舗における購入者の会員番号がレジ装置１に送信される。具体的には、レジ装置１から店番号が送信され（ステップＳ１０４）、これを受信したプログラムが、店番号に対応する会員番号の取得処理を行なう（ステップＳ１０５）。すなわち、携帯電話機２には、図５に示されるように、「店番号」、「店舗名」、「会員番号」及び「累計ポイント数」の対応を表す会員番号テーブルが保持され、複数の店舗のそれぞれに応じた会員番号を保持することができるようになっている。会員番号取得処理においては、これらの中から受信した店番号に対応する会員番号を選択し、レジ装置１に送信する。該当する店舗の会員番号がない場合には、そのまま会員番号がない旨の応答を行う。すなわち、会員番号がある場合には会員番号を加えて、会員番号がない場合にはその旨を伴って、領収書データの送信要求を携帯電話機２からレジ装置に対して行う。これにより、各購入者に応じた領収書データの送信を行なうことができる。本実施の形態においては、会員番号をもとにポイント情報が付加された領収書データを受信する。
【００３８】
レジ装置１は、会員番号を受信すると、更に、当該精算処理にかかる購入金額合計等の情報をポイントバンク５に送信する（ステップＳ１０６）。ステップＳ１０７においては、受信した会員番号と、購入金額合計と、に基づいて、今回の買い物により獲得した獲得ポイント数を計算し、元から保持する会員番号に対応した累積ポイント数に加算するなどのポイントに関する処理を行う。その後、この処理により取得した獲得ポイント数、累積ポイント数等のポイント情報をレジ装置１に送信する。
【００３９】
尚、このように、携帯電話機２において保持可能な個人識別情報をレジ装置１に送信することにより、店舗側においてもどのような購入者がどのような商品を購入するかを把握することができる。このため、店舗側が、販売促進計画の資料として利用したり、各購入者の購入傾向に応じた広告や会員特典の案内を領収書データに付加する等単に会員カードの代替としての役割だけでなく、よりきめ細かなサービスを提供することができるようになる。また、このポイントバンク５へのアクセスは、レジ装置１から直接でなく、携帯電話機２を介して接続することとしてもよい。
【００４０】
ステップＳ１０８においては、精算内容、及び、ステップＳ１０７において送信されたポイント情報から生成された領収書データが、携帯電話機２に送信される。
また、携帯電話機２を用いることにより、受信した領収書データを即時に処理することができる。例えば、受信プログラムに以下のような処理を行なわせる。
【００４１】
ステップＳ１０９においては、携帯電話機２の受信プログラムが購入者に領収書データを表示し、家計簿サーバ３へ保存するか否かの確認を求める。購入者が携帯電話機２の画面を見て領収書データの内容を確認するとともに、保存するか、破棄するかの選択を行なう。破棄する場合としては、領収書データが、店員の精算処理ミスで誤っている場合や、返品などを行なう場合等が考えられる。この場合には、携帯電話機２内で当該領収書データを保存可能とする。
【００４２】
ステップＳ１１０においては、携帯電話機２の受信プログラムが購入者から受信した応答の内容を判断する。購入者が保存を希望する場合（Ｙｅｓ）には、家計簿サーバ３への送信を行なう。これにより、家計簿サーバ３において登録される（ステップＳ１１１）。ステップＳ１１２においては、家計簿サーバ３から携帯電話機２へ登録完了が返信され、受信プログラムが終了する。
【００４３】
このように、購入後すぐに家計簿サーバ３へ登録することにより、忘れずに、また、携帯電話機２の記憶装置の容量不足を招くことなく確実に保存することができる。なお、家計簿サーバ３への登録後、家計簿サーバ３において購入後の家計の集計等の家計簿処理を行い、今月の家計状態等の家計簿処理の結果をリアルタイムに携帯電話機２に表示させてもよい。
【００４４】
図６には、領収書データを受信した携帯電話機の画面遷移が示されている。同図の携帯電話機の画面２ｅ−１は、上述のように、レジ装置１から受信した領収書データを購入者に示すために、受信プログラムが表示処理を行なったものである。同図に示されるように、領収書データとしては、購入を行なった店舗名、その店舗が開設するＷＥＢページのＵＲＬ（Ｕｎｉｆｏｒｍ　Ｒｅｓｏｕｒｃｅ　Ｌｏｃａｔｏｒ）、購入日時、獲得ポイント、購入品目及びその値段、税、合計金額が示されている。獲得ポイントは、上述のように購入金額に応じて特典を与えるような会員制度が店舗に設けられているような場合に、購入により獲得したポイント数あるいは今回獲得したポイントを加算した累積のポイント数等のポイントについての情報である。
【００４５】
ＵＲＬは、精算内容に直接関係のない情報であるが、例えば、領収書データとしてＵＲＬを受信して、該ＵＲＬへの接続を可能にする。本実施の形態においては、購入者がボタン操作を行なうと、画面２ｅ−１から画面２ｅ−３へ遷移して、購入店舗のＷＥＢページ接続する。これにより購入者は、今週のお買い得品、旬食材の調理方法等、購入時や次回の購入に役立つ情報を取得することができるとともに、店舗にとっても購入者の必要な情報を適時に配布して、有効な宣伝を行なうことができる。
【００４６】
領収書データは、図に列挙したものだけでなく、上述のように精算内容に直接関係のない他の情報を含んでいてもよい。又、どのような精算内容を必要とするかを購入者が選択可能としてもよい。このような場合には、例えば、レジ装置から携帯電話機への領収書データの送信前に、受信プログラムが受信すべき情報を指定するための起動指令をレジ装置へ送信する。
【００４７】
又、レジ装置から送信される領収書データのデータ形式等は特に限定されるものではない。但し、本実施の形態においては、領収書データは書込不能なデータ、あるいは、書込を検出可能なデータとしてレジ装置から送信する。このようなデータとして送信するには、例えば、精算内容に対応するデータに、電子透かしのように領収書データの生成側だけが用いることができる一定規則の下、当該レシートデータの生成日時を示すデータを埋め込み、送信する。精算内容を表示させるためには、この領収書データに対し受信側も用いることができる一定規則に基づく処理を行なう。これとともに、領収書データから生成日時情報も抽出する。これは、精算内容を示すデータを静止画像データとすれば、従来の電子透かし技術を用いて実現することができる。これにより、受信側においてデータの書き込みが行なえなくなるとともに、領収書データの生成日時と、送信データの更新タイムスタンプとを比較して書き込みを検出することができる。このように、購入者等による改ざんを防止可能にすると、例えば、購入後に返品する場合や、店員のレジ操作の誤りに気づいた時などにも、購入者の携帯電話機に表示された領収書データを証拠として用いることができる。
【００４８】
同図の画面２ｅ−２は、領収書データを家計簿サーバに保存するか、このまま破棄するかの判断を購入者に促す画面である。この画面２ｅ−２には、画面２ｅ−１により購入者が領収書データの内容を確認した後にボタン操作を行なうことにより、または自動的に遷移する。図に示される「保存」を選択することにより、領収書データが家計簿サーバへ送信され、登録される。
【００４９】
【発明の効果】
以上詳細に説明したように、領収書データをレジ装置から携帯通信端末に送信する際に、携帯通信端末において領収書データを受信するための受信プログラムの起動指令を送信する。これにより、リアルタイムに着信通知を行い、メール受信の契機とする携帯電話のメールサービスのように、精算作業の流れに沿って随時に送信される起動指令に基づいて領収書データの送受信を迅速に行うことができ、受信動作の遅延によるレジ装置前の混雑を防止することができる。また、携帯通信端末では受信プログラムが自動的に起動されるため、購入者による受信時の端末ボタンの操作無しで、領収書データの受信を行なうことができ、電子領収書システムの操作性を向上させることができる。
【００５０】
また、携帯電話機に保持される会員番号等の個人識別情報を領収書データの送信前にレジ装置に送信することにより、各購入者の使い勝手に応じた領収書データを受信し、利用することができる。
更に、受信した領収書データを家計簿サーバに送信し、家計簿データとして登録することにより、家計簿作成に代わり、簡易な家計簿システムを提供することができる。また、家計簿データを受信した外部装置、例えばＷＥＢサーバにおいて、登録された家計簿データに基づいて集計処理を行い、その結果を登録後すぐに携帯通信端末において表示させることにより、利用者において家計の状態を常に意識することができるようになり、健全な購入計画を立てやすくなるなど、家計簿データの有効性をより増大させることができる。また、領収書データに、ＵＲＬ等を含めることにより、携帯通信端末の通信機能を利用して、購入に関する更に多くの情報を適時に取得することができる。
【図面の簡単な説明】
【図１】本実施の形態の電子領収書システムにおける電子領収書の生成から携帯電話機での利用までを表したフローチャートである。
【図２】本実施の形態における電子領収書システムの構成を説明する図である。
【図３】レジ装置の構成を説明するブロック図である。
【図４】携帯電話機の構成を説明するブロック図である。
【図５】携帯電話機に保持するデータを説明する図である。
【図６】領収書データを受信した携帯電話機の画面遷移を説明する図である。
【符号の説明】
１　　　　　　レジ装置
１ａ　　　　近距離無線通信部
１ｂ　　　　ＰＯＳ端末
２　　　　　　携帯電話機
２ａ　　　　近距離無線通信部
ａ１　　　　メモリ
ＩＤ　　　　識別番号
ａ２　　　　近距離無線送受信部
ａ３　　　　処理装置
ａ４　　　　Ｉ／Ｆ部
２ｂ　　　　処理装置
２ｃ　　　　メモリ
ｃ１　　　　監視プログラム
ｃ２　　　　受信プログラム
ｃ３　　　　会員番号テーブル
２ｄ　　　　表示部
２ｅ　　　　画面
２ｆ　　　　無線通信部
２ｇ　　　　操作部
３　　　　　　家計簿サーバ
５　　　　　　ポイントバンク
【図１】
2004021607.tif 000003
【図２】
2004021607.tif 000004
【図３】
2004021607.tif 000005
【図４】
2004021607.tif 000006
【図５】
2004021607.tif 000007
【図６】
2004021607.tif 000008